【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
繰返し送信される複数種類のリピートデータを含むデータストリー
ムを外部から受信し、リピートデータを下位装置へ転送するデータ転送装置であって、
複数種類のリピートデータを格納するための記憶領域を有する記憶手段と、
外部から受信されたデータストリームから各種類のリピートデータを抽出する抽出手段と、
抽出した各リピートデータを前記記憶領域に格納する格納手段と、
一定時間当たりに出力すべきリピートデータの種類間の構成比率を決定するデータ構成比決定手段と、
前記記憶手段に格納されている前記複数種類の各リピートデータを読出し、決定した前記構成比率で出力するデータ出力手段と
を備えることを特徴とするデータ転送装置。
【請求項２】
前記記憶領域は、前記複数種類のリピートデータを格納するため
の各割当記憶領域から構成され、
前記格納手段は、前記各リピートデータを抽出する毎に当該リピートデータを該当する割当記憶領域に上書きする
ことを特徴とする請求項１記載のデータ転送装置。
【請求項３】
前記記憶領域は、前記複数種類のリピートデータを格納するため
の各割当記憶領域から構成され、
前記複数種類の各種類のリピートデータの内容は、所定のタイミングで更新され、
更新された各種類のリピートデータは、内容が更新されたことを示す更新情報を含み、
前記格納手段は、最初に抽出した前記各種類のリピートデータを該当する前記各割当記憶領域に格納し、その後に抽出した前記各種類のリピートデータに前記更新情報が含まれている場合に限り、当該種類のリピートデータを該当する割当記憶領域に上書きする
ことを特徴とする請求項１記載のデータ転送装置。
【請求項４】
前記複数種類の各リピートデータは、少なくとも１つ以上のパケットデータで構成され、
前記データ構成比決定手段は、前記各リピートデータについて、所定時間当たりに抽出した当該リピートデータを構成するパケットデータの数をカウントするカウント手段を有し、
前記データ構成比決定手段は、各リピートデータの種類間における各カウント数の比率に基いて前記構成比率を決定する
ことを特徴とする請求項１又は３記載のデータ転送装置。
【請求項５】
前記データストリームはさらに、出力する各リピートデータの種類間の構成比率を示す出力比率情報を有する出力情報データを含み、
前記抽出手段はさらに、前記出力情報データを抽出し、
前記データ構成比決定手段は、抽出した出力情報データに含まれる出力比率情報に基いて、前記構成比率を決定する
ことを特徴とする請求項１又は３記載のデータ転送装置。
【請求項６】
前記出力手段は、総出力ビットレートと、一定時間に出力するデータストリームにおける各リピートデータの種類間の構成比率とを指示するための指示情報の入力を受取る出力レート指示情報受取手段を有し、
前記データ構成比率決定手段は、
指示情報を記録するための記憶領域を有する指示情報記憶手段と、
受取った前記指示情報を前記記憶領域に記録する指示情報記録手段とを有し、
前記データ構成比決定手段は、記録した前記指示情報に基いて、前記構成比率を決定し、前記出力手段は、前記記憶手段に格納されている前記複数種類の各リピートデータを、前記指示情報の示す総出力ビットレートで出力する
ことを特徴とする請求項１又は３記載のデータ転送装置。
【請求項７】
前記出力手段は、総出力ビットレートと、総出力ビットレートを所定の割合で２つに配分した各出力ビットレートである最低出力ビットレートと余剰出力ビットレートと、前記余剰出力ビットレートを各リピートデータの種類毎に配分するための配分比とを指示するための指示情報の入力を受取る出力レート指示情報受取手段を有し、
前記データ構成比率決定手段は、指示情報を記録するための記憶領域を有する指示情報記憶手段と、受取った前記指示情報を前記記憶領域に記録する指示情報記録手段とを有し、    
前記データ構成比決定手段は、前記指示情報の示す前記最低出力ビットレートを各リピートデータの種類毎に配分した出力ビットレートである配分最低出力ビットレートと、前記指示情報の示す前記余剰ビットレートを前記支持情報の示す前記配分比に従って各リピートデータの種類毎に配分した出力ビットレートである配分余剰出力ビットレートとを加えた出力ビットレートである配分ビットレートを、各リピートデータの種類毎に決定し、決定した配分ビットレートの各リピートデータの種類間の比率に従って、前記構成比率を決定し、
前記出力手段は、前記記憶手段に格納されている前記複数種類の各リピートデータを、前記指示情報の示す総出力ビットレートで出力する
ことを特徴とする請求項１又は３記載のデータ転送装置。
【請求項８】
前記データストリームはさらに、一定時間当たりに出力すべき各リピートデータの種類間の構成比率と総出力ビットレートを指示するための指示情報を有する指示情報データを含み、
前記抽出手段はさらに、指示情報データを前記データストリームから抽出し、
前記データ構成比決定手段は、抽出した指示情報データに含まれる前記指示情報に基いて、前記構成比率を決定し、
前記出力手段は、前記記憶手段に格納されている前記複数種類の各リピートデータを、前記指示情報の示す総出力ビットレートで出力する
ことを特徴とする請求項１又は３記載のデータ転送装置。
【請求項９】
前記各リピートデータは、カルーセル伝送方式によって送信される少なくとも１つ以上のパケットデータから構成され、
前記データストリームは、トランスポートストリームである
ことを特徴とする請求項１又は３記載のデータ転送装置。
【請求項１０】
前記各リピートデータはリピートデータの種類毎に異なるPIDを有し、
前記記憶手段は、書き換え対象となるPIDを識別するための第１PIDと書き換え後のPIDを特定するための第２PIDとの組を少なくとも１組以上記憶し、
前記データ出力手段は、読み出すべき各リピートデータのPIDが前記記憶手段に記憶されている第１PIDの何れかと一致するか否かを判定する判定手段と、
一致する場合に、読み出したリピートデータのPIDを当該PIDと一致する第１PIDと組をなす第２PIDに書き換えるPID書換手段と
を有する
ことを特徴とする請求項９記載のデータ転送装置。
【請求項１１】
繰返し送信される複数種類のリピートデータを含む第１類データストリームと、ダミー用パケットデータを含む第２類データストリームとを外部から受信し、リピートデータを下位装置へ転送するデータ転送装置であって、
前記各リピートデータは、少なくとも１つ以上のリピートパケットデータから構成され、前記データ転送装置は、前記複数種類のリピートデータを格納するための記憶領域を有する記憶手段と、
受信した第１類データストリームから、前記複数種類のリピートデータを抽出する抽出手段と、抽出した前記複数種類のリピートデータを前記記憶手段に格納する格納手段と、
受信した第２類データストリームからダミー用パケットデータを検出する検出手段と、出力すべきリピートデータの種類を順次選択する出力データ選択手段と、
ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、
検出しない場合、受信した第２類データストリームをそのまま出力する出力手段と
を備えることを特徴とするデータ転送装置。
【請求項１２】
前記記憶領域は、前記複数種類のリピートデータを格納するための各割当記憶領域から構成され、
前記格納手段は、前記各リピートデータを抽出する毎に当該リピートデータを該当する割当記憶領域に上書きする
ことを特徴とする請求項１１記載のデータ転送装置。
【請求項１３】
前記記憶領域は、前記複数種類のリピートデータを格納するための各割当記憶領域から構成され、
前記複数種類の各種類のリピートデータの内容は、所定のタイミングで更新され、
更新された各種類のリピートデータは、内容が更新されたことを示す更新情報を含み、
前記格納手段は、最初に抽出した前記各種類のリピートデータを該当する前記各割当記憶領域に格納し、その後に抽出した前記各種類のリピートデータに前記更新情報が含まれている場合に限り、当該種類のリピートデータを該当する割当記憶領域に上書きする
ことを特徴とする請求項１１記載のデータ転送装置。
【請求項１４】
前記出力データ選択手段は、 前記各リピートデータについて、所定時間当たりに抽出した当該リピートデータを構成するリピートパケットデータの数をカウントするカウント手段を有し、
前記出力データ選択手段は、各リピートデータの種類間における各カウント数の比率に基いて定められた優先順位に従って出力すべきリピートデータの種類を順次選択する
ことを特徴とする請求項１１又は１３記載のデータ転送装置。
【請求項１５】
前記各リピートデータは、カルーセル伝送方式によって送信される少なくとも１つ以上のパケットデータから構成され、
前記第１類及び第２類データストリームは、トランスポートストリームである
ことを特徴とする請求項１１又は１３記載のデータ転送装置。
【請求項１６】
前記第２類データストリームは、第１PIDを含む複数種類のPID
を有するパケットデータを含み、
前記記憶手段は、第２PIDを記憶し、
前記検出手段は、さらに受信した第２類データストリームから第１PIDを有するパケットデータを検出し、
前記出力手段はさらに、第１PIDを検出した場合に、前記記憶手段から第２PIDを読出し、検出したパケットデータのPIDを読出したPIDに書換えて当該パケットデータを出力する
ことを特徴とする請求項１５記載のデータ転送装置。
【請求項１７】
前記第１PIDを有するパケットデータは、ダミー用パケットデータである
ことを特徴とする請求項１６記載のデータ転送装置。
【請求項１８】
繰返し送信される複数種類のリピートデータを含むデータストリームを外部から受信し、リピートデータを下位装置へ転送し、複数種類のリピートデータを格納するための記憶領域を有するデータ転送装置におけるデータ転送方法であって、
外部から受信されたデータストリームから各種類のリピートデータを抽出する抽出ステップと、
抽出した各リピートデータを前記記憶領域に格納する格納ステップと、
一定時間当たりに出力すべきリピートデータの種類間の構成比率を決定するデータ構成比決定ステップと、
前記記憶手段に格納されている前記複数種類の各リピートデータを読出し、決定した前記構成比率で出力するデータ出力ステップと
を含むことを特徴とするデータ転送方法。
【請求項１９】
繰返し送信される複数種類のリピートデータを含むデータストリームを外部から受信し、リピートデータを下位装置へ転送し、複数種類のリピートデータを格納するための記憶領域を有するデータ転送装置に用いられるプログラムを記録したコンピュータ読み取り可能な記録媒体であって、
前記プログラムは、外部から受信されたデータストリームから各種類のリピートデータを抽出する抽出ステップと、
抽出した各リピートデータを前記記憶領域に格納する格納ステップと、
一定時間当たりに出力すべきリピートデータの種類間の構成比率を決定するデータ構成比決定ステップと、
前記記憶手段に格納されている前記複数種類の各リピートデータを読出し、決定した前記構成比率で出力するデータ出力ステップと
を含むことを特徴とするコンピュータ読み取り可能な記録媒体。
【請求項２０】
繰返し送信される複数種類のリピートデータを含むデータストリームを外部から受信し、リピートデータを下位装置へ転送し、複数種類のリピートデータを格納するための記憶領域を有するデータ転送装置に用いられるプログラムであって、
外部から受信されたデータストリームから各種類のリピートデータを抽出する抽出ステップと、
抽出した各リピートデータを前記記憶領域に格納する格納ステップと、
一定時間当たりに出力すべきリピートデータの種類間の構成比率を決定するデータ構成比決定ステップと、
前記記憶手段に格納されている前記複数種類の各リピートデータを読出し、決定した前記構成比率で出力するデータ出力ステップと
を含むことを特徴とするプログラム。
【請求項２１】
繰返し送信される複数種類のリピートデータを含む第１類データストリームと、ダミー用パケットデータを含む第２類データストリームとを外部から受信し、リピートデータを下位装置へ転送し、前記複数種類のリピートデータを格納するための記憶領域を有するデータ転送装置におけるデータ転送方法であって、
前記各リピートデータは、少なくとも１つ以上のリピートパケットデータから構成され、前記データ転送方法は、
受信した第１類データストリームから、前記複数種類のリピートデータを抽出する抽出ステップと、
抽出した前記複数種類のリピートデータを前記記憶領域に格納する格納ステップと、
受信した第２類データストリームからダミー用パケットデータを検出する検出ステップと、
出力すべきリピートデータの種類を順次選択する出力データ選択ステップと、
ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、検出しない場合、受信した第２類データストリームをそのまま出力する出力ステップとを含むことを特徴とするデータ転送方法。
【請求項２２】
繰返し送信される複数種類のリピートデータを含む第１類データストリームと、ダミー用パケットデータを含む第２類データストリームとを外部から受信し、リピートデータを下位装置へ転送し、前記複数種類のリピートデータを格納するための記憶領域を有するデータ転送装置に用いられるプログラムを記録したコンピュータ読み取り可能な記録媒体であって、
前記各リピートデータは、少なくとも１つ以上のリピートパケットデータから構成され、
前記プログラムは、受信した第１類データストリームから、前記複数種類のリピートデータを抽出する抽出ステップと、
抽出した前記複数種類のリピートデータを前記記憶領域に格納する格納ステップと、
受信した第２類データストリームからダミー用パケットデータを検出する検出ステップと、
出力すべきリピートデータの種類を順次選択する出力データ選択ステップと、
ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、
検出しない場合、受信した第２類データストリームをそのまま出力する出力ステップとを含むことを特徴とするコンピュータ読み取り可能な記録媒体。
【請求項２３】
繰返し送信される複数種類のリピートデータを含む第１類データストリームと、ダミー用パケットデータを含む第２類データストリームとを受信し、リピートデータを転送し、前記複数種類のリピートデータを格納するための記憶領域を有するデータ転送装置に用いられるプログラムであって、
前記各リピートデータは、少なくとも１つ以上のリピートパケットデータから構成され、前記プログラムは、受信した第１類データストリームから、前記複数種類のリピートデータを抽出する抽出ステップと、
抽出した前記複数種類のリピートデータを前記記憶領域に格納する格納ステップと、
受信した第２類データストリームからダミー用パケットデータを検出する検出ステップと、
出力すべきリピートデータの種類を順次選択する出力データ選択ステップと、
ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、
検出しない場合、受信した第２類データストリームをそのまま出力する出力ステップとを含むことを特徴とするプログラム。
【手続補正２】
【補正対象書類名】明細書
【補正対象項目名】００５１
【補正方法】変更
【補正の内容】
【００５１】
ステップＳ１００３において、小さくない場合（ステップＳ１００３：Ｎ）、ステップＳ１００５の処理を行う。又、ステップＳ１００５において、比較が終了していない場合（ステップＳ１００５：Ｎ）、ステップＳ１００２〜ステップＳ１００５の処理を繰り返す。


【手続補正３】
【補正対象書類名】明細書
【補正対象項目名】００６０
【補正方法】変更
【補正の内容】
【００６０】
図１３は、出力ビットレート情報の内容の一例を示す。PID欄５１０は、出力されるカルーセルのPIDを示し、出力されるカルーセルのPIDが１００と１０１の２種類であることを示す。module ID欄５２０は、出力されるモジュールのmodule IDを示し、PID１００のカルーセルはmodule IDが０と１の２種類のモジュールから構成され、PID１０１のカルーセルはmodule IDが０と１と２の３種類のモジュールから構成されていることを示す。


【手続補正４】
【補正対象書類名】明細書
【補正対象項目名】００６２
【補正方法】変更
【補正の内容】
【００６２】
データ抽出部１０２は、ＴＳから出力情報識別子をもつパケットデータを抽出し、抽出データ解析部２０３に出力する。抽出データ解析部２０３は、データ抽出部１０２から入力された出力情報識別子をもつパケットデータから出力ビットレート情報を取得し、取得した出力ビットレート情報をデータ構成比決定部１０４に出力する。


【手続補正５】
【補正対象書類名】明細書
【補正対象項目名】００８１
【補正方法】変更
【補正の内容】
【００８１】
図１９は、データ出力部５０５が映像データ抽出部５０７から図１８に示すＡＶパケットデータの入力を受けて、出力するデータストリームの１例を示す。図１９において、データ１は、データ出力部５０５によって、Ｎｕｌｌパケットデータの代わりに置換出力された素材パケットデータを示す。
＜動作＞
次に、データ出力部５０５の行うパケットデータ選択処理の動作について説明する。図２０は、データ出力部５０５の行うパケットデータ選択処理の動作を示すフローチャートである。以下図２０のフローチャートを参照して上記選択処理の動作について説明する。


【手続補正６】
【補正対象書類名】明細書
【補正対象項目名】０１１５
【補正方法】変更
【補正の内容】
【０１１５】
【発明の効果】
本発明は、繰返し送信される複数種類のリピートデータを含むデータストリームを外部から受信し、リピートデータを下位装置へ転送するデータ転送装置 であって、複数種類のリピートデータを格納するための記憶領域を有する記憶手段と、外部から受信されたデータストリームから各種類のリピートデータを抽出する抽出手段と、抽出した各リピートデータを前記記憶領域に格納する格納手段と、一定時間当たりに出力すべきリピートデータの種類間の構成比率を決定するデータ構成比決定手段と、前記記憶手段に格納されている前記複数種類の各リピートデータを読出し、決定した前記構成比率で出力するデータ出力手段とを備える。


【手続補正７】
【補正対象書類名】明細書
【補正対象項目名】０１１６
【補正方法】変更
【補正の内容】
【０１１６】
また、前記各リピートデータは、カルーセル伝送方式によって送信される少なくとも１つ以上のパケットデータから構成され、前記データストリームは、トランスポートストリームであることとしてもよい。また、本発明は、繰返し送信される複数種類のリピートデータを含むデータストリームを外部から受信し、リピートデータを下位装置へ転送し、複数種類のリピートデータを格納するための記憶領域を有するデータ転送装置 におけるデータ転送方法であって、外部から受信されたデータストリームから各種類のリピートデータを抽出する抽出ステップと、抽出した各リピートデータを前記記憶領域に格納する格納ステップと、一定時間当たりに出力すべきリピートデータの種類間の構成比率を決定するデータ構成比決定ステップと、前記記憶手段に格納されている前記複数種類の各リピートデータを読出し、決定した前記構成比率で出力するデータ出力ステップとを含むこととしてもよい。


【手続補正８】
【補正対象書類名】明細書
【補正対象項目名】０１１７
【補正方法】変更
【補正の内容】
【０１１７】
また、本発明は、繰返し送信される複数種類のリピートデータを含むデータストリームを外部から受信し、リピートデータを下位装置へ転送し、複数種類のリピートデータを格納するための記憶領域を有するデータ転送装置 に用いられるプログラムを記録したコンピュータ読み取り可能な記録媒体であって、前記プログラムは 外部から受信されたデータストリームから各種類のリピートデータを抽出する抽出ステップと、抽出した各リピートデータを前記記憶領域に格納する格納ステップと、一定時間当たりに出力すべきリピートデータの種類間の構成比率を決定するデータ構成比決定ステップと、前記記憶手段に格納されている前記複数種類の各リピートデータを読出し、決定した前記構成比率で出力するデータ出力ステップとを含むこととしてもよい。


【手続補正９】
【補正対象書類名】明細書
【補正対象項目名】０１１８
【補正方法】変更
【補正の内容】
【０１１８】
また、本発明は、繰返し送信される複数種類のリピートデータを含むデータストリームを外部から受信し、リピートデータを下位装置へ転送し、複数種類のリピートデータを格納するための記憶領域を有するデータ転送装置 に用いられるプログラムであって、外部から受信されたデータストリームから各種類のリピートデータを抽出する抽出ステップと、抽出した各リピートデータを前記記憶領域に格納する格納ステップと、一定時間当たりに出力すべきリピートデータの種類間の構成比率を決定するデータ構成比決定ステップと、前記記憶手段に格納されている前記複数種類の各リピートデータを読出し、決定した前記構成比率で出力するデータ出力ステップとを含むこととしてもよい。


【手続補正１０】
【補正対象書類名】明細書
【補正対象項目名】０１２０
【補正方法】変更
【補正の内容】
【０１２０】
ここで、前記記憶領域は、前記複数種類のリピートデータを格納するための各割当記憶領域から構成され、前記格納手段は、前記各リピートデータを抽出する毎に当該リピートデータを該当する割当記憶領域に上書きすることとしてもよい。この構成により、素材データを格納するためのメモリ量を少なくすることができ、又、常に最新の素材データを格納しておくことができるので、素材データの内容が更新された場合においても、迅速に更新された内容の素材データを放送して視聴者の受信装置に提供することができる。
ここで、前記記憶領域は、前記複数種類のリピートデータを格納するための各割当記憶領域から構成され、前記複数種類の各種類のリピートデータの内容は、所定のタイミングで更新され、更新された各種類のリピートデータは、内容が更新されたことを示す更新情報を含み、前記格納手段は、最初に抽出した前記各種類のリピートデータを該当する前記各割当記憶領域に格納し、その後に抽出した前記各種類のリピートデータに前記更新情報が含まれている場合に限り、当該種類のリピートデータを該当する割当記憶領域に上書きすることとしてもよい。この構成により、常に最新のリピートデータを格納しておくことができるので、素材データの内容が更新された場合においても、迅速に更新された内容の素材データを転送して視聴者の受信装置に提供することができる。
【手続補正１１】
【補正対象書類名】明細書
【補正対象項目名】０１２１
【補正方法】変更
【補正の内容】
【０１２１】
ここで、前記複数種類の各リピートデータは、少なくとも１つ以上のパケットデータで構成され、前記データ構成比決定手段は、前記各リピートデータについて、所定時間当たりに抽出した当該リピートデータを構成するパケットデータの数をカウントするカウント手段を有し、前記データ構成比決定手段は、各リピートデータの種類間における各カウント数の比率に基いて前記構成比率を決定することとしてもよい。


【手続補正１２】
【補正対象書類名】明細書
【補正対象項目名】０１２５
【補正方法】変更
【補正の内容】
【０１２５】
この構成により、予めキー局側で地方局から転送させる各リピートデータの構成比率を調整することが可能となるので、地方局のデータ放送番組の視聴者の視聴頻度に応じて、各リピートデータの構成比率を変更させることができ、視聴頻度の高いリピートデータをより高頻度で転送することができる。ここで、前記出力手段は、総出力ビットレートと、一定時間に出力するデータストリームにおける各リピートデータの種類間の構成比率とを指示するための指示情報の入力を受取る出力レート指示情報受取手段を有し、前記データ構成比率決定手段は、指示情報を記録するための記憶領域を有する指示情報記憶手段と、受取った前記指示情報を前記記憶領域に記録する指示情報記録手段を有し、前記データ構成比決定手段は、記録した前記指示情報に基いて、前記構成比率を決定し、前記出力手段は、前記記憶手段に格納されている前記複数種類の各リピートデータを、前記指示情報の示す総出力ビットレートで出力することとしてもよい。又、前記出力手段は、総出力ビットレートと、総出力ビットレートを所定の割合で２つに配分した各出力ビットレートである最低出力ビットレートと余剰出力ビットレートと、前記余剰出力ビットレートを各リピートデータの種類毎に配分するための配分比とを指示するための指示情報の入力を受取る出力レート指示情報受取手段を有し、前記データ構成比率決定手段は、指示情報を記録するための記憶領域を有する指示情報記憶手段と、受取った前記指示情報を前記記憶領域に記録する指示情報記録手段とを有し、前記データ構成比決定手段は、前記指示情報の示す前記最低出力ビットレートを各リピートデータの種類毎に配分した出力ビットレートである配分最低出力ビットレートと、前記指示情報の示す前記余剰ビットレートを前記支持情報の示す前記配分比に従って各リピートデータの種類毎に配分した出力ビットレートである配分余剰出力ビットレートとを加えた出力ビットレートである配分ビットレートを、各リピートデータの種類毎に決定し、決定した配分ビットレートの各リピートデータの種類間の比率に従って、前記構成比率を決定し、前記出力手段は、前記記憶手段に格納されている前記複数種類の各リピートデータを、前記指示情報の示す総出力ビットレートで出力することとしてもよい。
【手続補正１３】
【補正対象書類名】明細書
【補正対象項目名】０１２８
【補正方法】変更
【補正の内容】
【０１２８】
この構成により、特定のリピートデータのパケットデータのPIDを所定のPIDに書き換えて、パケットデータを転送することができるので、キー局から送信されたパケットデータに付与されたPIDが既に地方局において、別の種類のパケットデータのPIDとして使用されている場合の不具合を解消することができる。又、本発明は、繰返し送信される複数種類のリピートデータを含む第１類データストリームと、ダミー用パケットデータを含む第２類データストリームとを外部から受信し、リピートデータを下位装置へ転送するデータ転送装置 であって、前記各リピートデータは、複数のリピートパケットデータから構成され、前記データ転送装置 は前記複数種類のリピートデータを格納するための記憶領域を有する記憶手段と、受信した第１類データストリームから、前記複数種類のリピートデータを抽出する抽出手段と、抽出した前記複数種類のリピートデータを前記記憶手段に格納する格納手段と、受信した第２類データストリームからダミー用パケットデータを検出する検出手段と、出力すべきリピートデータの種類を順次選択する出力データ選択手段と、ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、検出しない場合、受信した第２類データストリームをそのまま出力する出力手段とを備えることとしてもよい。


【手続補正１４】
【補正対象書類名】明細書
【補正対象項目名】０１２９
【補正方法】変更
【補正の内容】
【０１２９】
また、前記各リピートデータは、カルーセル伝送方式によって送信される少なくとも１つ以上のパケットデータから構成され、前記第１類及び第２類データストリームは、トランスポートストリームであることとしてもよい。また、本発明は、繰返し送信される複数種類のリピートデータを含む第１類データストリームと、ダミー用パケットデータを含む第２類データストリームとを外部から受信し、リピートデータを下位装置へ転送し、前記複数種類のリピートデータを格納するための記憶領域を有するデータ転送装置 におけるデータ転送方法であって、前記各リピートデータは、複数のリピートパケットデータから構成され、前記データ転送方法は、受信した第１類データストリームから、前記複数種類のリピートデータを抽出する抽出ステップと、抽出した前記複数種類のリピートデータを前記記憶領域に格納する格納ステップと、受信した第２類データストリームからダミー用パケットデータを検出する検出ステップと、 出力すべきリピートデータの種類を順次選択する出力データ選択ステップと、ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、検出しない場合、受信した第２類データストリームをそのまま出力する出力ステップとを含むこととしてもよい。


【手続補正１５】
【補正対象書類名】明細書
【補正対象項目名】０１３０
【補正方法】変更
【補正の内容】
【０１３０】
また、本発明は、繰返し送信される複数種類のリピートデータを含む第１類データストリームと、ダミー用パケットデータを含む第２類データストリームとを外部から受信し、リピートデータを下位装置へ転送し、前記複数種類のリピートデータを格納するための記憶領域を有するデータ転送装置 に用いられるプログラムを記録したコンピュータ読み取り可能な記録媒体であって、前記各リピートデータは、少なくとも１つ以上のリピートパケットデータから構成され、前記プログラムは、受信した第１類データストリームから、前記複数種類のリピートデータを抽出する抽出ステップと、抽出した前記複数種類のリピートデータを前記記憶領域に格納する格納ステップと、受信した第２類データストリームからダミー用パケットデータを検出する検出ステップと、出力すべきリピートデータの種類を順次選択する出力データ選択ステップと、ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、検出しない場合、受信した第２類データストリームをそのまま出力する出力ステップとを含むこととしてもよい。


【手続補正１６】
【補正対象書類名】明細書
【補正対象項目名】０１３１
【補正方法】変更
【補正の内容】
【０１３１】
また、本発明は、繰返し送信される複数種類のリピートデータを含む第１類データストリームと、ダミー用パケットデータを含む第２類データストリームとを受信し、リピートデータを転送し、前記複数種類のリピートデータを格納するための記憶領域を有するデータ転送装置 に用いられるプログラムであって、前記各リピートデータは、少なくとも１つ以上のリピートパケットデータから構成され、前記プログラムは、受信した第１類データストリームから、前記複数種類のリピートデータを抽出する抽出ステップと、抽出した前記複数種類のリピートデータを前記記憶領域に格納する格納ステップと、受信した第２類データストリームからダミー用パケットデータを検出する検出ステップと、 出力すべきリピートデータの種類を順次選択する出力データ選択ステップと、ダミー用パケットデータを検出した場合、順次選択した種類のリピートデータを構成するリピートパケットデータを前記記憶手段から読出し、受信した第２類パケットデータストリームにおいて、検出したダミー用パケットデータと置換して出力し、検出しない場合、受信した第２類データストリームをそのまま出力する出力ステップとを含むこととしてもよい。


【手続補正１７】
【補正対象書類名】明細書
【補正対象項目名】０１３２
【補正方法】変更
【補正の内容】
【０１３２】
この構成により、ダミー用パケットデータは、順次選択されたリピートデータを構成するパケットデータに置換されてデータが転送されるので、無駄なデータを転送することなく、データ帯域を有効活用してデータの伝送効率を高めることができる。ここで、前記記憶領域は、前記複数種類のリピートデータを格納するための各割当記憶領域から構成され、前記格納手段は、前記各リピートデータを抽出する毎に当該リピートデータを該当する割当記憶領域に上書きすることとしてもよい。


【手続補正１８】
【補正対象書類名】明細書
【補正対象項目名】０１３３
【補正方法】変更
【補正の内容】
【０１３３】
この構成により、素材データを格納するためのメモリ量を少なくすることができ、又、常に最新の素材データを格納しておくことができるので、素材データの内容が更新された場合においても、迅速に更新された内容の素材データを転送して視聴者の受信装置に提供することができる。ここで、前記記憶領域は、前記複数種類のリピートデータを格納するための各割当記憶領域から構成され、前記複数種類の各種類のリピートデータの内容は、所定のタイミングで更新され、更新された各種類のリピートデータは、内容が更新されたことを示す更新情報を含み、前記格納手段は、最初に抽出した前記各種類のリピートデータを該当する前記各割当記憶領域に格納し、その後に抽出した前記各種類のリピートデータに前記更新情報が含まれている場合に限り、当該種類のリピートデータを該当する割当記憶領域に上書きすることとしてもよい。この構成により、常に最新のリピートデータを格納しておくことができるので、素材データの内容が更新された場合においても、迅速に更新された内容の素材データを転送して視聴者の受信装置に提供することができる。ここで、前記出力データ選択手段は、前記各リピートデータについて、所定時間当たりに抽出した当該リピートデータを構成するリピートパケットデータの数をカウントするカウント手段を有し、前記出力データ選択手段は、各リピートデータの種類間における各カウント数の比率に基いて定められた優先順位に従って出力すべきリピートデータの種類を順次選択することとしてもよい。


【手続補正１９】
【補正対象書類名】明細書
【補正対象項目名】０１３５
【補正方法】変更
【補正の内容】
【０１３５】
ここで、前記各リピートデータは、カルーセル伝送方式によって送信される少なくとも１つ以上のパケットデータから構成され、前記第１類及び第２類データストリームは、トランスポートストリームであり、前記第２類データストリームは、第１PIDを含む複数種類のPIDを有するパケットデータを含み、前記記憶手段は、第２PIDを記憶し、前記検出手段は、さらに受信した第２類データストリームから第１PIDを有するパケットデータを検出し、前記出力手段はさらに、第１PIDを検出した場合に、前記記憶手段から第２PIDを読出し、検出したパケットデータのPIDを読出したPIDに書換えて当該パケットデータを出力することとしてもよい。
又、前記第１PIDを有するパケットデータは、ダミー用パケットデータであることとしてもよい。
【手続補正２０】
【補正対象書類名】明細書
【補正対象項目名】０１３６
【補正方法】変更
【補正の内容】
【０１３６】
この構成により、特定のパケットデータのPIDを所定のPIDに書き換えて、パケットデータを転送することができるので、キー局から送信されたパケットデータに付与されたPIDが既に地方局において、別の種類のパケットデータのPIDとして使用されている場合の不具合を解消することができる。


【手続補正２１】
【補正対象書類名】明細書
【補正対象項目名】０１３７
【補正方法】削除
【補正の内容】
【手続補正２２】
【補正対象書類名】明細書
【補正対象項目名】０１３８
【補正方法】削除
【補正の内容】
【手続補正２３】
【補正対象書類名】明細書
【補正対象項目名】０１３９
【補正方法】削除
【補正の内容】